(57)【要約】【課題】  反射板と化粧枠との位置関係を最適化することにより光学ロスをなくした照明器具を提供することである。【解決手段】  器具本体１１には、通常電源の供給時にはバッテリを充電し通常電源の遮断時にはバッテリからの電源によって光源１３を点灯する点灯ユニット１２と、光源１３の取付部が頂部に位置し下部に光源１３の投光開口部を有し帽状に形成された反射板１５とが収納され、器具本体１１の下部には化粧枠１７が配設されている。そして、反射板１５の投光開口部と化粧枠１７の開口部との位置関係は、化粧枠１７の縁部１８と反射板１５の縁部１６とが少なくとも重なって接合し、化粧枠１７の縁部１８が反射板１５の内径の内側に入り込まない位置関係とする。【選択図】  図２
2005166342.tif 000002
【特許請求の範囲】
【請求項１】
器具本体に収納され、通常電源の供給時にはバッテリを充電し通常電源の遮断時には前記バッテリからの電源によって光源を点灯する点灯ユニットと；
前記器具本体に収納され、前記光源の取付部が頂部に位置し下部に前記光源の投光開口部を有し帽状に形成された反射板と；
前記反射板の投光開口部の内径より大きな内径の開口部を有し、その開口部の縁部と前記反射板の縁部とが少なくとも重なって接合し、前記開口部の縁部が前記反射板の内径の内側に入り込まないように前記器具本体の下部に配設された化粧枠と；
を備えたことを特徴とする照明器具。
【請求項２】
前記反射板の縁部は、反射板内面側から反射板外面側に向けて傾斜して設けられるとともに、反射板の縁部の下面部が光源の配光角よりも上部に位置し、かつ、化粧枠の縁部の下面部が光源の配光角とほぼ同等となるような位置に設けられていることを特徴とする請求項１記載の照明器具。
【発明の詳細な説明】
【技術分野】
【０００１】
本発明は、天井面に直付けまたは埋め込まれて取り付けられる照明器具に関する。
【背景技術】
【０００２】
例えば、非常用照明器具は非常電源の供給用にバッテリを備え、点灯ユニットにより、通常電源の通電時にはトランスを介してバッテリを充電し、通常電源の遮断時にはバッテリの非常電源によって光源を点灯させるようにしている。このように、非常用照明器具は通常時には消灯しており、停電が発生すると内蔵したバッテリから電源が供給されて点灯するように構成されている。
【０００３】
点灯ユニットやバッテリは器具本体に収納され、器具本体は天井面に直付けまたは埋め込まれて取り付けられる。埋込型の照明器具として、点灯ユニットとバッテリとを器具本体内に横に並べて効率的に配置し、上下方向の高さ寸法を小さくし小型化を図った照明器具がある（例えば、特許文献１参照）。また、直付け型の照明器具として、器具本体内に光源を中心にしてほぼ同一面上に、反射体、点灯ユニット及びバッテリを配置し照明器具の高さ方向を小さくしたものがある（例えば、特許文献２参照）。
【０００４】
このような照明器具では、光源からの光を反射する反射板には化粧枠（カバー）が設けられている。図５は特許文献１の照明器具における化粧枠装着部の部分断面図である。器具本体１１内には、図示省略のトランスを備えた点灯ユニット１２が収納されており、光源１３であるランプは点灯ユニット１２のソケット１４に装着されている。光源１３の光を反射する反射板１５は投光開口部を有して帽状に形成され、化粧枠１７の縁部１８が反射板１５の縁部１６より内側に位置するように装着されている。また、この照明器具は通常時には消灯しており、停電が発生すると内蔵した環状のバッテリから電源が供給されて点灯するので、正常であるかどうかの点検を行うための点検スイッチ１９が取り付けられている。
【０００５】
このように、化粧枠１７の縁部１８が反射板１５の縁部１６より内側に位置するように装着されているので、器具本体１１の下方からまたは斜めから見た場合に反射板１５の縁部１６が露出して直視されることがなく、意匠性を向上させている。また、化粧枠１７を後付けする際に化粧枠１７の縁部１８をガイドとして用いることができ、反射板１５と化粧枠１７との位置決めを容易にできるようにしている。
【特許文献１】特開２００３−１００１０６号公報
【特許文献２】特開平１−２２１８０３号公報
【発明の開示】
【発明が解決しようとする課題】
【０００６】
ところが、化粧枠１７の縁部１８が反射板１５の縁部１６より内側に位置するので、化粧枠１７の開口部の内径は反射板１５の投光開口部の内径より小さくなっている。従って、光源１３からの直射光や反射板１５での反射光が化粧枠１７の内径の縁部１８により遮られてしまい光学ロスが発生する。
【０００７】
本発明の目的は、反射板と化粧枠との位置関係を最適化することにより光学ロスをなくした照明器具を提供することである。
【課題を解決するための手段】
【０００８】
請求項１の発明に係わる照明器具は、器具本体に収納され、通常電源の供給時にはバッテリを充電し通常電源の遮断時には前記バッテリからの電源によって光源を点灯する点灯ユニットと；前記器具本体に収納され、前記光源の取付部が頂部に位置し下部に前記光源の投光開口部を有し帽状に形成された反射板と；前記反射板の投光開口部の内径より大きな内径の開口部を有し、その開口部の縁部と前記反射板の縁部とが少なくとも重なって接合し、前記開口部の縁部が前記反射板の内径の内側に入り込まないように前記器具本体の下部に配設された化粧枠と；を備えたことを特徴とする。
【０００９】
本発明において、特に指定しない限り用語の定義および技術的意味は以下による。器具本体は、例えば円筒状に形成され天井面に設けられた埋め込み穴に挿入され、または直接的に天井面に取り付けられる。天井面に設けられた埋め込み穴に挿入される埋込型の場合には、器具本体はその側面に設けられた取付金具で埋め込み穴に係止して装着される。天井面に直接的に取り付けられる直付け型の場合にはネジ等の取付具で取り付けられる。
【００１０】
器具本体内には、光源を点灯するための点灯ユニット、停電時等に光源に電源を供給するバッテリ、停電時に点灯する光源、光源の光を反射して投光開口部から光を照射する反射板等が収納される。光源はランプまたは発光素子であり、例えばミニハロゲンランプや発光ダイオード等の照明に使用される発光体である。
【００１１】
反射板は帽状に形成され、反射板の頂部には光源の取付部が位置する。光源がランプである場合にはソケットが反射板の頂部に位置し、光源が発光素子である場合には発光素子の端子部が反射板の頂部に位置する。反射板の下部には光源からの直射光及び反射板で反射した反射光を投光するための投光開口部を有する。投光開口部の先端部には傾斜状の縁部が形成されている。
【００１２】
一方、化粧枠は反射板の投光開口部の内径より大きな内径の開口部を有し、その開口部の先端部には傾斜状の縁部が形成されている。そして、反射板の縁部と化粧枠の縁部とが少なくとも重なり、化粧枠の縁部の先端部が反射板の内径の内側に入り込まないように器具本体の下部に配設されている。
【００１３】
本発明によれば、光源からの直射光や反射板での反射光が化粧枠の縁部により遮られることがないので、光学ロスを防止することができ照度を保持できる。また、反射板の縁部と化粧枠の縁部とが重なっているので、反射板の縁部と化粧枠との縁部との間に隙間を生じることがなく意匠性を害することもない。
【００１４】
請求項２の発明に係わる照明器具は、請求項１の発明において、前記反射板の縁部は、反射板内面側から反射板外面側に向けて傾斜して設けられるとともに、反射板の縁部の下面部が光源の配光角よりも上部に位置し、かつ、化粧枠の縁部の下面部が光源の配光角とほぼ同等となるような位置に設けられていることを特徴とする。
【００１５】
本発明は、反射板の縁部を反射板内面側から反射板外面側に向けて傾斜して設け、傾斜した反射板の縁部の下面部に化粧枠の縁部の上面部を接合させ、その際に化粧枠の縁部の下面部が光源の配光角とほぼ同等となるような位置に接合させたものである。従って、反射板の縁部の下面部は光源の配光角よりも上部に位置することになる。
【００１６】
本発明によれば、反射板の縁部を傾斜状としたので、反射板の縁部と化粧枠の縁部との接合を容易に行え、化粧枠の縁部の下面部が光源の配光角とほぼ同等となる位置決めも容易に行える。また、曲率Ｒのような曲線状よりも傾斜状の方が製造のバラツキも生じ難く、従って、反射板の縁部と化粧枠の縁部とが接合した接合部が光源の配光角より下部に位置することを容易に抑制できる。さらに、化粧枠の縁部の下面部が光源の配光角とほぼ同等なので、光学ロスを低減できるとともに配光特性が変化する不具合を防止できる。
【発明の効果】
【００１７】
請求項１の発明によれば、光源からの直射光や反射板での反射光が化粧枠の縁部により遮られることがないので、光学ロスを防止することができ照度を保持できる。また、反射板の縁部と化粧枠の縁部とが重なっているので、反射板の縁部と化粧枠との縁部との間に隙間を生じることがなく意匠性を害することもない。
【００１８】
請求項２の発明によれば、請求項１の発明に効果に加え、反射板の縁部を傾斜状としたので、反射板の縁部と化粧枠の縁部との接合を容易に行え、化粧枠の縁部の下面部が光源の配光角とほぼ同等となる位置決めも容易に行える。また、曲率Ｒのような曲線状よりも傾斜状の方が製造のバラツキも生じ難く、従って、反射板の縁部と化粧枠の縁部とが接合した接合部が光源の配光角より下部に位置することを容易に抑制できる。さらに、化粧枠の縁部の下面部が光源の配光角とほぼ同等なので、光学ロスを低減できるとともに配光特性が変化する不具合を防止できる。
【発明を実施するための最良の形態】
【００１９】
図１は本発明の実施の形態に係わる照明器具の斜視図、図２は図１のＡ−Ａ線での一部断面図、図３は図１のＢ−Ｂ線での一部断面図である。図１に示した照明器具は埋込型の照明器具を示している。
【００２０】
図１に示すように、照明器具の器具本体１１は下部が開口した円筒状に形成され、器具本体１１の開口部にはランプ１３が位置し、ランプ１３の周囲には反射板１５の内面が位置するように配置されている。また、器具本体１１の側面には取付金具２０が設けられており、器具本体１１が天井面に設けられた埋め込み穴に挿入されたときに、取付金具２０で埋め込み穴に係止して装着される。取付金具２０は器具本体１１の周面に上下方向に移動可能に設けられ、天井面の埋め込み穴の内面に係合されて固定される。
【００２１】
図２は図１のＡ−Ａ線での一部断面図であり、器具本体１１内の上部には天井板上に配線される電源線を接続するための端子台２２が取り付けられ、点灯ユニット１２が接続される。点灯ユニット１２は上下方向に立てた状態に配置される回路基板２３を有し、この回路基板２３にトランス２４を初めとして各種電気部品が接続される。また、回路基板２３にはバッテリと接続するためのコネクタ２５が設けられている。バッテリ２６は、図３に示すように、点灯ユニット１２の横に器具本体１１の上下方向に配置されており、点灯ユニット１２の回路基板２３とコネクタ２５を介して接続されている。
【００２２】
そして、回路基板２３に接続された各種電気部品により、通常電源の供給時にはバッテリ２６を充電する充電回路や通常電源の遮断時にはバッテリからの電源によって光源を点灯する非常用点灯回路が形成され、また、点検用スイッチ１９が操作されたときに通常電源を遮断するための点検用スイッチ回路が形成される。
【００２３】
一方、点灯ユニット１２のソケット１４には光源１３であるランプが装着され、また、光源１３の光を反射して投光開口部から光を出す反射板１５が取付バネ２１で保持されて収納されている。反射板１５は光源１３の取付部であるソケット１４が頂部に位置し下部に光源１３の投光開口部を有し、帽状に形成されている。
【００２４】
反射板１５の内面は、例えば、光源１３の取付部から内面が回転放物二次曲面体になるように形成され、また、光源１３の取付部から平坦部を有し、その平坦部の外周から回転放物二次曲面体になるように形成される。図２では、光源１３の取付部からの平坦部を有した場合を示している。光源１３の取付部からの平坦部を大きくすると、投光開口部から出射される光の拡がりが大きくなり、低天井位置からの照射でも広い範囲の床面の照度を保持できるようになる。一方、光源１３の取付部からの平坦部を小さくしていくと、投光開口部から出射される光の拡がりが狭くなり、中天井位置さらには高天井位置からの照射でも床面の照度を保持できるようになる。
【００２５】
化粧枠１７は器具本体１１の下部に配設され、反射板１５の投光開口部の縁部１６に、化粧枠１７の開口部の縁部１８が接合するように配置される。その際には、化粧枠１７の縁部１８の先端部が反射板１５の内径の内側に入り込まない位置に位置決めされる。
【００２６】
図４は、反射板１５の投光開口部と化粧枠１７の開口部との位置関係の説明図である。反射板１５の縁部１６は傾斜状に形成され、また、化粧枠１７の縁部１８も傾斜状に形成されている。化粧枠１７は、反射板１５の投光開口部の内径φ１より大きな内径φ２の開口部を有し、その開口部の先端部には傾斜状の縁部１８が形成されている。そして、反射板１５の縁部１６と化粧枠１７の縁部１８とが少なくとも重なり、化粧枠１７の縁部１８の先端部が反射板１５の内径の内側に入り込まないように接合されている。なお、化粧枠１７は器具本体１１に固定される。
【００２７】
このように、反射板１５の縁部１６と化粧枠１７の縁部１８とが少なくとも重なっており、かつ、化粧枠１７の縁部１８が反射板１５の内径の内側に入り込まない程度が望ましい。これは、反射板１５の縁部１６と化粧枠１７の縁部１８とが重なるので、反射板１５の縁部１６と化粧枠１７との縁部１８との間に隙間を生じることがなく意匠的にはほとんど影響がなく、また、化粧枠１７の縁部１８が反射板１５の内径の内側に入り込まないので、光学的にも問題がないからである。また、化粧枠１７が後付けで取り付けられる場合であっても、化粧枠１７は反射板１５に対して位置決めできるので何ら問題はない。
【００２８】
なお、反射板１５の縁部１６の内側端部と化粧枠１７の縁部１８の先端部とがほぼ同一位置となるようにすると、製造のバラツキにより、化粧枠１７の縁部１８が反射板１５の内径の内面側に位置してしまうことがあり、その場合には光学特性を低下させることになる。また、反射板１５の縁部１６の外側端部と化粧枠１７の縁部１８の先端部とがほぼ同一位置となるような構成とすると、反射板１５の縁部１６が露出することになるので、意匠性を低下させてしまうとともに、製造のバラツキによっては反射板１５の縁部１６と化粧枠１７との縁部１８との間に隙間を生じてしまう虞もある。従って、反射板１５の縁部１６と化粧枠１７の縁部１８とが少なくとも重なっており、かつ、化粧枠１７の縁部１８が反射板１５の内径の内側に入り込まない程度が望ましい。
【００２９】
さらに、化粧枠１７の縁部１８は、反射板１５の縁部１６に接合したとき、傾斜状に形成された化粧枠１７の縁部１８の傾斜が光源１３からの光線に沿うように形成されることが望ましい。この状態のときは、光源１３からの直射光が化粧枠１７に遮られることなく出射できるからである。これにより、光源１３の配光角θを広角度に確保できる。
【００３０】
すなわち、図４に示すように、反射板１５の縁部１６を反射板内面側から反射板外面側に向けて傾斜して設けるにあたり、反射板１５の下面部に接合する化粧枠１７の縁部１８の下面部が光源１３の配光角θとほぼ同等となるように傾斜を付ける。従って、反射板１５の縁部１６の下面部は光源１３の配光角θよりも上部に位置することになる。
【００３１】
以上の説明では、光源１３としてランプを用いた場合について説明したが光源１３が発光素子例えば発光ダイオードを用いた場合であってもよい。その場合、ソケット１４は不要となる。また、天井面に器具本体１１を埋め込んで装着する埋込型の照明器具について説明したが、天井面に直接的に取り付ける直付け型の照明器具に適用できることは言うまでもない。
【００３２】
本発明の実施の形態によれば、化粧枠１７の縁部１８が反射板１５の内径φ１より外側に位置するので、光源１３の配光角θを広角度にできる。すなわち、化粧枠１７の縁部１８が反射板１５の縁部１６より内側に位置した場合には、化粧枠１７の縁部１８によって光線が遮られて光源１３の配光角θは制限を受け、光源１３の配光角θは６０度程度となるが、本発明の実施の形態では、化粧枠１７の縁部１８によって光線が遮られることがほとんどないので、６２度〜６４度程度を確保できる。従って、外部に出光できる光量が増加するので光学性能が向上する。また、反射板１５の縁部１６と化粧枠１７の縁部１８とが重なっているので、反射板１５の縁部１６と化粧枠１７との縁部１８との間に隙間を生じることがなく意匠性を害することもない。
【００３３】
また、反射板１５の縁部１６を傾斜状とすることで反射板１５の製造が容易となり、曲率Ｒのような曲線状よりも製造のバラツキが生じ難い。従って、反射板１５の縁部１６と化粧枠１７の縁部１８とが接合した接合部が光源の配光角より下部に位置することを容易に抑制できる。また、化粧枠１７の縁部１８の下面部が光源１３の配光角θとほぼ同等なので、光学ロスを低減できるとともに配光特性が変化する不具合を防止できる。
【図面の簡単な説明】
【００３４】
【図１】本発明の実施の形態に係わる照明器具の説明図。
【図２】図１のＡ−Ａ線での一部断面図。
【図３】図１のＢ−Ｂ線での一部断面図。
【図４】本発明の実施の形態における反射板の投光開口部と化粧枠の開口部との位置関係の説明図。
【図５】従来の照明器具の化粧枠装着部の部分断面図。
【符号の説明】
【００３５】
１１…器具本体、１２…点灯ユニット、１３…光源、１４…ソケット、１５…反射板、１６…縁部、１７…化粧枠、１８…縁部、１９…点検スイッチ、２０…取付金具、２１…取付バネ、２２…端子台、２３…回路基板、２４…トランス、２５…コネクタ、２６…バッテリ
【図１】
2005166342.tif 000003
【図２】
2005166342.tif 000004
【図３】
2005166342.tif 000005
【図４】
2005166342.tif 000006
【図５】
2005166342.tif 000007